(57)【要約】【課題】剥離現象を生じやすい不織布等の機能性シートを用いず、簡便に製造でき、液漏れせず、香気のみが外部に発散される容器を低廉なコストで提供する。【解決手段】通気性がないＰＥＴフィルム（１４，２０）乃至ナイロンフィルム（１８）と、通気性があるＬＬＤＰＥフィルム（１６，２２）を積層させた積層フィルムを用い、全社を容器の外表面として形成した容器であって、通気性がないフィルムを貫通し、溝底面を通気性があるフィルムとして形成した多数の微細溝（１２，２４）をレーザーを用いて容器上部に形成して香の発散容器とした。【選択図】図２
2008222307.tif 000002
【特許請求の範囲】
【請求項１】
通気性がないフィルムと通気性があるフィルムを積層させた積層フィルムで構成された容器であって、通気性がないフィルムを貫通し、溝底面を通気性があるフィルム面とした多数の微細溝をレーザーを用いて少なくとも容器上部に形成してなる構成を有することを特徴とする香の発散容器。
【請求項２】
通気性がないフィルムがＰＥＴフィルム、ナイロンフィルム及びこれらフィルムを積層させた積層フィルムの中から選択されたものである請求項１に記載の香の発散容器。
【請求項３】
通気性があるフィルムがＬＬＤＰＥフィルムである請求項１又は２に記載の香の発散容器。
【請求項４】
通気性がないフィルムが容器の外表面になっている請求項１〜３のいずれかに記載の香の発散容器。
【請求項５】
通気性がないフィルムと通気性があるフィルムを積層させてなる積層フィルムで容器を製造する方法であって、容器面を構成する積層フィルムの通気性がないフィルムにのみレーザーを用いて微細な溝を貫通させ、この溝は通気性があるフィルムの表面にまで至る香発散溝として形成することを特徴とする香の発散容器の製造方法。
【発明の詳細な説明】
【技術分野】
【０００１】
本発明は、内容物の香気を外部に発散させる容器に関し、特に積層フィルムで構成された容器から消費者が容器を開封しない状態で、内容物の香気を確認した後に購入できるようにした香の発散容器、及びその製造方法に関する。
【背景技術】
【０００２】
シャンプー、リンス或いは繊維柔軟剤のような液体商品を収容する容器は、耐圧テストか落下テストのような安全性試験を経由して造られている。特に落下テストの場合には内容物の容量等によって異なることがあるが、通常的に１乃至１．５ｍの高さで落下させた時に容器が破損した場合は不適となる。
適するものとして、内容物の印刷性に優れ、フィルムの破裂強度を向上させる為に強靭性があるＰＥＴ（Polyethylene Terephthalate）フィルムやナイロンフィルムをＬＬＤＰＥ（Linear Lowdensity Polyethylene） フィルムの表面に積層して二重に構成した二層構造か、または三重に構成された三層構造の積層フィルムを用いて包装容器が形成されている。
【０００３】
前記の如き包装容器は、内容物を使用する間において残った部分を再使用できるようにする為に、開口部にファスナーを設けて開封した後に再密封できるようにしてあるが、最初の開封前の状態においては開口部のファスナーの外側部分を完全に融着して密封してある。この様に開口部が完全に密封された容器では、商品が持っている固有の香気が外部に発散されないため、内部の香りを直接に確認することができないので、消費者は容器の表面に表示された香の種類の記載だけて商品を購入するしかないのが実情である。
【０００４】
この様に容器の表面に内容物の香気を標記しても、香気の種類が多様で容器の表面に表示された香の名前だけでは、具体的にどんな香気であるのか識別し難い問題があるばかりでなく、容器の表面に表示された香の種類を知っていたとしても、商品固有の香と違って現われる香の微妙さもあるので、消費者たちは希望と異なる香を持つ商品を購入してしまう場合も多々あるのである。
【０００５】
前記した従来の包装容器の問題点を解消する為に、下記文献に示すような通気孔を持つ容器が開発された。この公報には、商品保管容器の上側端部に通孔を形成し、通孔の内側面に水分の通過を防止しながら香気を通過させる別途の機能性不織布を付着して、内容物の香気を発散させるようにしたレフィル（refill）容器が開示されている。
【０００６】
【特許文献１】韓国登録実用新案公報  公報番号２０−０２２５９２１（２００１年６月１日公告）
【発明の開示】
【発明が解決しようとする課題】
【０００７】
前記した容器の問題点は、別途の機能性不織布を付着する工程を必要とし、このための人件費が要求されるから容器価格が上昇し、また、別途の機能性不織布が完全に付着されなかった時には内容物が流出する可能性があり、通孔の形態が限定されるから香の発散部分を精密な紋様に作ることができないという問題点がある。
従って前記した従来の香の発散容器の問題点を解消し、既存の商品容器に使用する既存の積層フィルムに若干の加工を加えるだけで、外部の湿気が内部に流入しないのみならず内部の香が外部に発散される容器が要望されている実情にある。
【０００８】
本発明の目的の一は、通気性があるフィルムの表面に通気性がないフィルムを積層させて構成した積層フィルムで構成された液体などの商品包装容器に、レーザー（ｌａｓｅｒ）を利用して通気性がないフィルムを貫通する微細な溝を形成して、不織布を付着する加工をしなくても防水性があるとともに容器内部の香気が外部に発散される容器を提供することにある。
本発明の目的の他の一は、前記した形態の香発散微細溝を持つ包装容器を製造する方法を提供することにある。
【課題を解決するための手段】
【０００９】
前記本発明の目的は、通気性がないフィルムの表面に通気性があるフィルムを積層して構成した積層フィルムで構成されて外表面が通気性がないフィルムで構成する容器において、容器の上部にレーザを利用して通気性がないフィルムを貫通する微細な溝を形成した香の発散容器によって達成される。
本発明の目的の他の一は、上記構成の香が発散される容器を、レーザーにより通気性がないフィルムのみを貫通する溝を形成して製造する方法によって達成される。
【００１０】
すなわち、本発明に係る香の発散容器は、通気性がないフィルムと通気性があるフィルムを積層させた積層フィルムで構成された容器であって、通気性がないフィルムを貫通し、溝底面を通気性があるフィルム面とした多数の微細溝をレーザーを用いて少なくとも容器上部に形成してなる構成を有することを特徴とするものである。
本発明に係る製造方法は、通気性がないフィルムと通気性があるフィルムを積層させてなる積層フィルムで容器を製造する方法であって、容器面を構成する積層フィルムの通気性がないフィルムにのみレーザーを用いて微細な溝を貫通させ、この溝は通気性があるフィルムの表面にまで至る香発散溝として形成することを特徴とするものである。
【００１１】
本発明において香発散容器は積層フィルムの開口部を除く三周縁部を融着して密封させ、上部の開口部は、香発散内容物を容器内部に注入した後に融着させて密封するか、或いは開口部にファスナーを付着して開閉するようにする。開口部にファスナーを付着して開閉させる場合には内部に内容物を入れた後にファスナーを閉鎖してファスナーの外部で融着密封させた状態で商品化するようにする。
【００１２】
本発明に使用される積層フィルムは通気性があるフィルムと通気性がないフィルムを接着剤を利用して積層させるか、又はドライラミネート（Dry laminating）方法で積層させるなどして製造することができる、また圧出方法によって積層させることもできる。このような積層フィルムは液体商品包装に使用する通常的のフィルムでもよい。容器を製造する時には通気性がないフィルムが容器の外表面に位置し、通気性があるフィルムは容器の内面に位置するように容器を形成するか、又は通気性がないフィルムが容器の内面に位置して通気性があるフィルムが容器の外表面に位置するように容器を形成することもできる。一般的に通気性があるフィルム、特にＬＬＤＰＥフィルムの場合には、印刷加工性が通気性のないフィルムに比べて低下する（劣る）から、印刷性が優秀で通気性がないフィルムが容器の外表面に位置するようにするのが望ましい。
【００１３】
通気性がないフィルムとしては、ＰＥＴフィルム、ナイロンフィルムなどを用いるのが望ましい。その他の種類のフィルムも空気透過度がないフィルムであれば使用可能である。
通気性があって香は透過させるが、防水性において液体成分は透過させないフィルムの代表的なフィルムとしては、ＬＬＤＰＥフィルムがある。また、その他にも前記した特性を持つフィルムであれば用いることができる。
このような積層フィルムは、ＰＥＴフィルムやナイロンフィルムは機密性があって、液体は勿論のこと空気透過度が下がって空気の様な香を外部に発散させない。またＬＬＤＰＥフィルムは液体透過性は低いから液体成分に対する密封性は優秀である反面、機密性は低いから香のような気体は通過するようになっている。
【００１４】
前記した積層フィルムにレーザーを利用して通気性がある溝を形成する時には、溝が通気性がないフィルムを貫通して通気性があるフィルムの表面に到達するように形成する。この時使用するレーザーの強度は通気性がないフィルムの強度によって決定する。一般的に通気性がないフィルムでＰＥＴフィルム、ナイロンフィルムを使用する場合には、約２０〜４０ワットのレーザー強度が要求される。
通気性がないフィルムと通気性があるフィルムが接着剤によって接着された場合には、接着剤部分まで貫通するように溝を形成するのが望ましいが、接着剤成分が通気性のある場合には接着剤成分を貫通しないように溝を形成することもできる。
【００１５】
前記した溝は多数の微細な溝を微細に形成することが望まれ、このような微細な溝は、レーザーの特性を利用して、微細なる溝群が特殊な紋様、例えば会社のロゴ又は装飾用紋様を現わすように精密に形成することで好ましく形成することができる。このようにレーザーを利用して特殊な紋様などの微細な溝を形成するのは、通常的に溝の部分を切取して通孔を形成する従来の香の発散容器の製造方法では達成されなかったのである。特に本発明によれば前記した香発散の溝群が有色にも形成することができるから、香発散の溝部分を装飾用に形成することもできる。
【発明の効果】
【００１６】
本発明によれば、容器を形成する積層フィルム自体に、レーザーを利用して簡単な方法で溝を形成したので、香発散通孔をフィルム全体が貫通するように形成して特殊な機能の不織布を付着する場合に現れることがある不織布の離脱現象が現れない効果がある。
又、本発明によれば、不織布を付着するに追う手工作業をなくて、レーザーで溝を形成する簡単な方法で容器内部の香が外部に発散するように形成できるから、容器製作における人件費の節減と作業の効率化の効果がある。
特に本発明によれば、レーザーを利用して溝を形成するから、香の発散孔を任意の形態に精密に形成でき、ロゴとか紋様、図案などを容易に挿入形成することができるので、容器の美装効果を向上させる効果がある。
【発明を実施するための最良の形態】
【００１７】
以下、本発明の香発散容器を図面によって詳細に説明する。
本発明の香の発散容器は、ＰＥＴフィルム或いはナイロンフィルムと、ＬＬＤＰＥフィルムとを積層してなる二層フィルムで形成するか、又は、ＰＥＴフィルム及びナイロンフィルムの積層フィルムと、ＬＬＤＰＥフィルムとを積層してなる三層フィルムで形成されている。
【００１８】
図１は透過性がないフィルムが容器の表面に位置するように形成した本発明による香発散溝を持つ容器の正面図である。図１によれば容器（１０）の上段部にＧ字形象の微細な溝（１２）が多数形成され、容器に装飾性を与えている。
図２は香発散容器（１０）に形成された溝部分を示す部分拡大断面図で、空気透過性がないフィルムであるＰＥＴフィルム（１４）が容器（１０）の表面に位置し、通気性があるフィルムであるＬＬＤＰＥフィルム（１６）が容器の内面を構成するように形成されている。
【００１９】
ＰＥＴフィルム（１４）は約１２μｍの厚さを持っており、ＬＬＤＰＥフィルム（１６）は約１６５μｍの厚さを持っている。溝（１２）は通気性がないフィルである表面層のＰＥＴフィルム（１４）に形成されていて、図２から確認される如くＰＥＴフィルム（１４）を貫通してＬＬＤＰＥフィルム（１６）の表面に至るように形成されている。
【００２０】
図３は、ＰＥＴフィルム（２０）の外側にナイロンフィルム（１８）を積層した積層フィルムの内側に、ＬＬＤＰＥフィルム（２２）に積層させて三重に形成されたフィルムによる容器の断面拡大図である。これによれば、溝（２４）は通気性がないフィルムであるＰＥＴフィルム（２０）とナイロンフィルム（１８）を貫通して通気性があるフィルムであるＬＬＤＰＥフィルム（２２）に至るように形成されている。この積層フィルムはＰＥＴフィルムが約１２μｍの厚さを持っており、ナイロンフィルムは約１５μｍの厚さを持ち、ＬＬＤＰＥフィルムは約１５０μｍの厚さを持っている。
【００２１】
上記図２、図３に示す如く、溝（１２，２４）の底面はいずれもＬＬＤＰＥフィルム（１６、２２）の表面にまで至るように構成されている。
前記した本発明によれば、通気性がありながら防水性があるフィルムであるＬＬＤＰＥフィルム（１６、２２）が、溝（１２，２４）を通して大気中に露出され、容器内外に通気性を与えるから、容器内部の香は外部に発散されるが、容器内部の水分は容器外部に漏出させないこととなる。
【００２２】
［実施例１］
１２μｍ厚さのＰＥＴフィルムと１６５μｍ厚さのＬＬＤＰＥフィルムで構成された総１７７μｍ厚さの積層フィルムで、ＰＥＴフィルムが外表面を形成する液体商品容器を形成し、容器の上段部に、日本サンクス社製のレーザー装置であるＬＰ４３０を使用して３０ワット出力でレーザーを照射して、容器の表面に溝を形成し、溝は溝底面がＬＬＤＰＥフィルムの表面に至るように形成させた。この容器の内部に、香のある液体商品であるシャンプーを注入して密封した。人が直接“におい”をテストした結果、溝が形成された部分から液体シャンプーの香が出るのを確認することができた。液漏れは生じなかった。
【００２３】
［実施例２］
１５μｍ厚さのナイロンフィルムと１６５μｍ厚さのＬＬＤＰＥフィルムで構成した二層フィルムで、ナイロンフィルムが外表面を形成する液体商品容器を形成し、実施例１と同じ方法で容器の表面に溝を形成し、この溝は溝底面のＬＬＤＰＥフィルムの表面に至るように上記レーザーで形成した。この容器の内部に香がある液体商品であるシャンプーを注入して密封した。人が直接“におい”をテストした結果、溝が形成された部分から液体シャンプーの香が出るのを確認することができた。液漏れは生じなかった。
【００２４】
［実施例３］
１２μｍ厚さのＰＥＴフィルムと１５μｍ厚さのナイロンフィルム及び１５０μｍ厚さのＬＬＤＰＥフィルムを順次積層して構成された三層フィルムで、ＰＥＴフィルムが外表面に位置する液体商品容器を形成し、この容器の上段部に実施例１と同じ方法でレーザーで溝を形成し、溝はＰＥＴフィルムとナイロンフィルム層を貫通し、溝底面がＬＬＤＰＥフィルムの表面に至るように形成した。容器の内部に香がある液体商品であるシャンプーを注入して密封した。人が直接“におい”をテストした結果、溝が形成された部分から液体シャンプーの香が出るのを確認することができた。液漏れは生じなかった。
【図面の簡単な説明】
【００２５】
【図１】本発明による香気の発散溝が形成された香気発散容器の一例正面図で、円形内部の拡大図は香気発散の溝を文字で形成したことを示す。
【図２】二層フィルムに形成した香気発散容器の香気発散の溝を示す拡大断面図、
【図３】三層フィルムに形成した香気発散容器の香気発散の溝を示す拡大断面図。
【符号の説明】
【００２６】
１０容器、          １２，２４溝、          １４，２０ＰＥＴフィルム、
１８ナイロンフィルム、          １６，２２ＬＬＤＰＥフィルム
【図１】
2008222307.tif 000003
【図２】
2008222307.tif 000004
【図３】
2008222307.tif 000005